(57)【要約】【課題】事前に撮影地の情報を知らない場合でも、ランドマークを効果的に撮影するための案内を行う画像撮影装置を提供することを目的とする。【解決手段】現在位置を取得する現在位置取得手段と、ランドマークの位置情報およびランドマークの撮影地点に関する情報を保持する情報記憶手段と、取得した現在位置近傍のランドマークを情報記憶手段から検索し、検索したランドマークに関連付けられた撮影地点に関する情報を抽出する抽出手段と、撮影地点に関する情報を表示する表示手段と、を備える構成とした。【選択図】図２
2011188054.tif 000002
【特許請求の範囲】
【請求項１】
位置情報が利用可能な画像撮影装置であって、
現在位置を取得する現在位置取得手段と、
ランドマークの位置情報および前記ランドマークの撮影地点に関する情報を保持する情報記憶手段と、
取得した前記現在位置近傍の前記ランドマークを前記情報記憶手段から検索し、検索した前記ランドマークに関連付けられた撮影地点に関する情報を抽出する抽出手段と、
前記撮影地点に関する情報を表示する表示手段と、
を備えた画像撮影装置。
【請求項２】
撮影予定時刻を設定する撮影予定時刻設定手段を備え、
前記抽出手段は、前記撮影予定時刻に基づいて撮影地点に関する情報を抽出する、請求項１記載の画像撮影装置。
【請求項３】
位置情報が利用可能な画像撮影方法であって、
現在位置を取得する現在位置取得ステップと、
ランドマークの位置情報および前記ランドマークの撮影地点に関する情報を保持する情報記憶手段から、取得した前記現在位置近傍の前記ランドマークを検索し、検索した前記ランドマークに関連付けられた撮影地点に関する情報を抽出する抽出ステップと、
前記撮影地点に関する情報を表示する表示ステップと、
を備えた画像撮影方法。
【請求項４】
前記抽出ステップにおいて、設定された撮影予定時刻に基づいて撮影地点に関する情報を抽出する、請求項３記載の画像撮影方法。
【請求項５】
請求項３記載の画像撮影方法をコンピュータに実行させるためのプログラム。
【発明の詳細な説明】
【技術分野】
【０００１】
本発明は、撮影者に対して現在位置に関する案内を行う画像撮影装置およびプログラムに関する。
【背景技術】
【０００２】
位置情報を用いて撮影者に対して撮影の補助案内を行う画像撮影装置として、現在位置情報と予め登録された撮影予定ポイントとを比較して、次に撮影すべき撮影ポイントを検索してガイダンス表示する構成が知られている（例えば、特許文献１参照。）。
【先行技術文献】
【特許文献】
【０００３】
【特許文献１】特開２００５−８６２３６号公報
【発明の概要】
【発明が解決しようとする課題】
【０００４】
しかしながら、上述の特許文献１に記載された従来の画像撮影装置においては、事前に撮影予定のポイントを入力しておく必要があり、旅先などの初めて訪れた場所において、どこで撮影するのが効果的かを知らない場合には意味をなさないという課題があった。
【０００５】
本発明はこのような課題に鑑みてなされたもので、事前に撮影地の情報を知らない場合でも、ランドマークを効果的に撮影するための案内を行う画像撮影装置を提供することを目的とする。
【課題を解決するための手段】
【０００６】
本発明は上記課題を解決するために、現在位置を取得する現在位置取得手段と、ランドマークの位置情報およびランドマークの撮影地点に関する情報を保持する情報記憶手段と、取得した現在位置近傍のランドマークを情報記憶手段から検索し、検索したランドマークに関連付けられた撮影地点に関する情報を抽出する抽出手段と、撮影地点に関する情報を表示する表示手段と、を備える構成とした。
【発明の効果】
【０００７】
本発明によれば、事前に撮影者が撮影地点の情報を知らない場合においても、ランドマークの撮影を効果的に行うことができる。
【図面の簡単な説明】
【０００８】
【図１】実施の形態１にかかるデジタルカメラの構成を示すブロック図
【図２】データベース部に保持されたランドマーク情報の一例を示す図
【図３】実施の形態１にかかるデジタルカメラの動作について説明するフローチャート
【図４】実施の形態１にかかるデジタルカメラの動作について説明するフローチャート
【図５】表示部２３０の表示例を示す図
【発明を実施するための形態】
【０００９】
〔実施の形態１〕
〔１．デジタルカメラの概要〕
本実施の形態として、画像撮影装置としてのデジタルカメラについて説明する。このデジタルカメラは、ランドマークの位置情報を、そのランドマークのお勧め撮影地点情報と共に複数組保持している。ＧＰＳモジュールにより取得した現在位置近傍のランドマーク情報を抽出し、さらにこれらのランドマークに対して撮影時間帯に応じたお勧め撮影地点情報を撮影者に案内する。
【００１０】
〔２．デジタルカメラの構成〕
本実施の形態にかかるデジタルカメラ１００の電気的構成について、図１を用いて説明する。図１は、デジタルカメラ１００の構成を示すブロック図である。デジタルカメラ１００は、１又は複数のレンズからなる光学系１１０により形成された被写体像を、ＣＣＤイメージセンサー１５０で撮像する。ＣＣＤイメージセンサー１５０で生成された画像データは、画像処理部１７０で各種処理が施され、記録媒体２１０に格納される。また、コントローラー部１９０は、ＧＰＳモジュール３００から得られる現在位置に関する情報と、データベース部３２０に保持されたランドマーク情報とから、お勧めの撮影地点を表示部２３０に表示する。以下、デジタルカメラ１００の構成を詳細に説明する。
【００１１】
光学系１１０は、ズームレンズやフォーカスレンズから構成される。ズームレンズを光軸に沿って移動させることにより、被写体像の拡大、縮小をすることができる。また、フォーカスレンズを光軸に沿って移動させることにより、被写体像のピントを調整することができる。
【００１２】
レンズ駆動部１２０は、光学系１１０に含まれる各種レンズを駆動する。例えばズームレンズを駆動するズームモータや、フォーカスレンズを駆動するフォーカスモータがこれにあたる。
【００１３】
絞り１３０は、撮影者の設定に応じて若しくは自動で、開口部の大きさを調整し、透過する光の量を調整する。
【００１４】
シャッター１４０は、ＣＣＤイメージセンサー１５０に透過させる光を遮光するための手段である。
【００１５】
ＣＣＤイメージセンサー１５０は、光学系１１０で形成された被写体像を撮像して、アナログ画像データを生成する。ＣＣＤイメージセンサー１５０は、露光、転送、電子シャッター等の各種動作を行う。
【００１６】
Ａ／Ｄコンバータ１６０は、ＣＣＤイメージセンサー１５０で生成されたアナログ画像データをデジタル画像データに変換する。
【００１７】
画像処理部１７０は、ＣＣＤイメージセンサー１５０で生成された画像データに対して処理を施し、表示部２３０に表示するための画像データ、記録媒体２１０に格納するための画像データを生成する。例えば、画像処理部１７０は、ＣＣＤイメージセンサー１５０で生成された画像データに対してガンマ補正やホワイトバランス補正、傷補正などの各種処理を行う。また画像処理部１７０は、ＣＣＤイメージセンサー１５０で生成された画像データに対し、符号化処理を行う。このとき画像データが静止画であれば、ＪＰＥＧ規格に準拠した符号化形式等を用いる。また画像データが動画であれば、ＭＰＥＧ規格に準拠した符号化形式等を用いる。また画像処理部１７０は、符号化処理された画像データに対して復号化処理を行う。画像処理部１７０は、ＤＳＰやマイコンなどで実現可能である。
【００１８】
コントローラー部１９０は、全体を制御する制御手段である。またコントローラー部１９０は、画像データへのＯＳＤの重畳処理を行う。ＯＳＤを重畳された画像データは表示部２３０へ表示される。ＯＳＤは、デジタルカメラの各種設定を行うためのメニュー画面や、現在表示されている画像データに関する情報を示すアイコン等を表示するために使用される。
【００１９】
バッファ１８０は、画像処理部１７０及びコントローラー部１９０のワークメモリとして機能する。バッファ１８０は、例えば、ＤＲＡＭ、強誘電体メモリなどで実現できる。
【００２０】
記録部２００は、記録媒体２１０を着脱可能である。記録部２００は、機械的及び電気的に記録媒体２１０と接続可能である。記録媒体２１０は、フラッシュメモリや強誘電体メモリなどを内部に含み、画像処理部１７０で生成された画像ファイル等のデータを格納可能である。
【００２１】
内部メモリ２２０は、デジタルカメラ１００全体を制御するための制御プログラム、電源オフ時の各種設定を保持している。内部メモリ２２０は、フラッシュメモリや強誘電体メモリなどで構成される。
【００２２】
表示部２３０は、ＣＣＤイメージセンサー１５０で生成した画像データ（スルー画像）や、記録媒体２１０から読み出した画像データを表示可能である。なお、スルー画像とは最終的に記録媒体２１０に記録しない画像を意味する。
【００２３】
操作部２４０は、撮影者からの操作を受け付けるユーザーインターフェースの総称である。例えば、撮影者からの操作を受け付ける十字キーや決定ボタン、タッチパネル、シャッターボタン、電源ボタン等がこれにあたる。
【００２４】
ＧＰＳモジュール３００は、グローバル・ポジショニング・システム（ＧＰＳ：Ｇｌｏｂａｌ  Ｐｏｓｉｔｉｏｎｉｎｇ  Ｓｙｓｔｅｍ）を利用してデジタルカメラ１００の地球上における位置に関する情報を出力する。ＧＰＳモジュール３００は、コントローラー部１９０からの指示に従ってＧＰＳ衛星からの信号を受信して出力する。この信号には、衛星が内蔵する時計の時刻や、衛星の軌道情報など、デジタルカメラ１００の現在位置を算出するための情報が含まれている。コントローラー部１９０は、この信号に基づいてデジタルカメラ１００の現在位置を緯度および経度として算出する。
【００２５】
時計部３１０は現在時刻を保持している。コントローラー部１９０は、撮影者が操作部２４０を操作することによって入力した現在時刻を時計部３１０に設定する。時計部３１０は、デジタルカメラ１００の電源が切の状態でも時刻を保持できるようにバックアップ用の電池を有している。コントローラー部１９０は、時計部３１０から得られる現在時刻情報をもとに処理を行う。
【００２６】
データベース部３２０は、ランドマーク情報、およびそれらに対応するお勧め撮影地点情報を格納している。また、ランドマークの分布状況に合わせて複数の縮尺の地図情報も保持している。また、住所と位置情報（緯度および経度）の対応関係についても保持している。ランドマーク情報およびお勧め撮影地点情報については後述する。データベース部３２０は、フラッシュメモリや強誘電体メモリ、ハードディスクドライブ等で構成される。
【００２７】
なお、コントローラー部１９０は、本発明の制御手段、抽出手段の一例である。表示部２３０は、表示手段の一例である。ＧＰＳモジュール３００は、現在位置取得手段の一例である。データベース部３２０は、情報記憶手段の一例である。
【００２８】
〔３．ランドマーク情報について〕
一般的にランドマークとは、地球上において目印となる建物、国、地域を象徴するシンボル的なモニュメント、建築、空間を意味する。ランドマークには、広い地域の中で目印となる特徴的な自然、建物や事象も含まれる。ナビゲーション装置や携帯情報端末、デジタルカメラ等で用いられる電子地図においては、地図画面上にランドマークを示すアイコンを表示し、そのランドマークに関する詳細情報を案内することがある。
【００２９】
本実施の形態ではランドマーク情報を、ランドマーク名、ランドマークの位置情報、およびランドマーク周辺のお勧め撮影地点情報が関連付けられた情報とする。お勧め撮影地点情報とは、関連付けられたランドマークを撮影するのに適した撮影ポイントに関する情報である。また、お勧め撮影地点情報には、効果的に撮影可能な時間帯情報、撮影地点の位置情報、当該ランドマークに対する方位情報、および参考構図画像を有するものとする。お勧め撮影地点情報は、１つのランドマークに対して複数存在する場合もあるが、１つも存在しない場合もある。データベース部３２０は、複数のランドマーク情報を保持している。
【００３０】
図２は、データベース部３２０に保持されたランドマーク情報の一例を示す図である。ランドマーク名は、そのランドマークの名称である。地図上にランドマークを表示する際や、現在位置の最寄りのランドマークに関する情報を表示する際に、ランドマーク名を表示部２３０に表示することができる。位置情報は、そのランドマークの地球上の位置を緯度と経度で表したものである。お勧め撮影地点情報には、効果的な撮影が行える時間帯、位置情報、方位情報が含まれ、ＩＤが１や５のランドマーク（以下、ＩＤ１、ＩＤ５のように表記する）のように複数存在する場合もあれば、ＩＤ２やＩＤ３のように１つしか存在しない場合、ＩＤ４のように撮影お勧め地点がない場合がある。時間帯は、「日中」および「夜景」の２種類のうちいずれかである。また、方位情報は、おすすめ撮影地点から見たランドマークの方位を示し、例えば真北を０°とし、反時計回りに増加する角度として表すものとする。
【００３１】
〔４．デジタルカメラの動作〕
デジタルカメラ１００は、通常撮影モードにおいて、撮影者による操作部２４０の操作により動作モードを切り替え、撮影地点のお勧め動作を開始し、撮影地点のお勧めを行う。以下、このときの動作について説明する。
【００３２】
図３および図４は、撮影地点のお勧め動作の概略を示すフローチャートである。まず、コントローラー部１９０は、操作部２４０により、撮影予定地点の位置情報の入力を受け付ける（Ｓ３０１）。撮影者は表示部２３０に表示された案内にしたがって、操作部２４０によって撮影予定地点の位置情報を入力する。撮影予定地点の位置情報の入力は、住所の入力や地図上での指定、ランドマーク名の入力など、いずれの方法でも構わない。撮影予定地点を入力しない場合、撮影者の現在位置を撮影予定地点とするために、コントローラー部１９０は、ＧＰＳモジュール３００を駆動してＧＰＳ信号の検出を行う（Ｓ３０２）。ＧＰＳ信号が検出された場合、コントローラー部１９０は、ＧＰＳモジュール３００より現在地の位置情報を取得し、撮影予定地点とする（Ｓ３０３）。ＧＰＳ信号が検出できなかった場合は、コントローラー部１９０は、表示部２３０に「ＧＰＳが検出できません」表示を行い（Ｓ３０４）、撮影地点のお勧め動作を終了し、通常撮影モードに動作モードを切り替える。撮影者による指定、もしくは現在位置情報から、撮影予定地点の位置情報が取得できた場合、コントローラー部１９０は、必要に応じてデータベース部３２０を参照することにより、撮影予定位置を緯度、経度の形式で算出し、内部メモリ２２０に保持する（Ｓ３０５）。例えば撮影者が位置情報としてランドマーク名や住所を入力した場合、コントローラー部１９０は、データベース部３２０を参照してこれらに対応する位置情報を緯度および経度として算出する。
【００３３】
次に、コントローラー部１９０は、操作部２４０により、撮影予定時刻の入力を受け付ける（Ｓ３０６）。撮影者は表示部２３０に表示された案内にしたがって、操作部２４０によって撮影予定時刻を入力する。撮影予定時刻を入力しない場合、現在時刻を撮影予定時刻とするために、コントローラー部１９０は、時計部３１０より現在時刻情報を取得し、撮影予定時刻とする（Ｓ３０７）。コントローラー部１９０は、撮影予定時刻を、内部メモリ２２０に保持する（Ｓ３０８）。
【００３４】
コントローラー部１９０は、内部メモリ２２０に保持された撮影予定地点の位置情報を元に、データベース部３２０に保持されているランドマーク情報を用いて、撮影予定地点の半径Ｘｍ以内に存在するランドマークを検索する（Ｓ３０９）。コントローラー部１９０は、撮影予定地点の半径Ｘｍ以内にランドマークが存在するかどうかを判断し（Ｓ３１０）、ランドマークが存在する場合には、データベース部３２０に保持されている地図情報を利用し、撮影予定地点の半径Ｘｍ以内の地図画像、撮影予定地点、ランドマークを示すアイコンとランドマーク名を表示部２３０に表示する（Ｓ３１１）。
【００３５】
図５（ａ）は、ステップＳ３１１におけるコントローラー部１９０が表示部２３０へ出力する表示の一例である。図のように、表示部２３０に設定された窓５０１には、撮影予定地点５１１を中心とし、半径Ｘｍを含む縮尺の地図が表示される。撮影予定地点５１１には、撮影予定地点を示すアイコン（△印）が表示される。地図上にはさらに、ランドマーク５１２および５１３が表示される。ランドマークの近傍にはランドマーク名が表示される。このように、半径Ｘｍ以内にランドマークが複数存在する場合は全て表示される。
【００３６】
半径Ｘｍ以内にランドマークが存在しない場合は、コントローラー部１９０により、表示部２３０に「周囲Ｘｍにランドマークが存在しません」表示を行い（Ｓ３１２）、撮影地点のお勧め動作を終了し、通常撮影モードに復帰する。
【００３７】
次にコントローラ部１９０は、表示部２３０に表示されたランドマークの数を判定する（Ｓ３１３）。表示部２３０に表示されたランドマークが１つの場合、コントローラー部１９０はそのランドマークを選択したものとみなす。一方、表示部２３０に表示されたランドマークが複数存在する場合、コントローラー部１９０は操作部２４０により撮影者に１つのランドマークを選択させる（Ｓ３１４）。撮影者が操作部２４０を操作して１つのランドマークを選択すると、コントローラー部１９０は、その他のランドマークを表示部２４０から除去する。
【００３８】
その後、コントローラー部１９０は、内部メモリ２２０に保持された撮影予定時刻が日中であるかどうかを判断する（Ｓ４０１）。日中かどうかの判断は、内部メモリ２２０に保持されている年間の日の出、日の入り時間の情報を、撮影予定時刻と比較して行う。撮影予定時刻が日中である場合、コントローラー部１９０は、データベース部３２０の当該ランドマークの情報から、日中のお勧め撮影地点の情報を抽出する（Ｓ４０２）。撮影予定時刻が日中でない場合は、同様に夜景のお勧め撮影地点の情報を抽出する（Ｓ４０３）。コントローラー部１９０は、日中、もしくは夜景のお勧め撮影地点が存在するかどうかを判断し（Ｓ４０４）、存在しない場合は、コントローラー部１９０により、表示部２３０に「お勧め撮影地点情報が存在しません」表示を行い（Ｓ４０６）、撮影地点のお勧め動作を終了し、通常撮影モードに復帰する。お勧め撮影地点が存在する場合、コントローラー部１９０は、お勧め撮影地点を表示部２３０に表示する（Ｓ４０５）。コントローラー部１９０は、撮影予定地点、選択したランドマーク、お勧め撮影地点の分布状況に合わせて、地図の縮尺、中心位置を変更し、表示部２３０に再表示する（Ｓ４０７）。
【００３９】
図５（ｂ）は、ステップＳ４０７におけるコントローラー部１９０が表示部２３０へ出力する表示の一例である。図のように、コントローラー部１９０は、お勧め撮影地点情報に含まれるお勧め撮影地点の位置と撮影方向に基づいてお勧め撮影地点５１４を表示させる。矢印５１５は、各お勧め撮影地点からランドマークへの撮影方向となっている。ここでコントローラー部１９０は、操作部２４０により撮影者にお勧め撮影地点の選択動作を受け付ける（Ｓ４０８）。撮影者が操作部２４０によって、１つもしくは複数あるお勧め撮影地点の中から１つを選択した場合、地図上の特定箇所に重ねて、コントローラー部１９０がデータベース部３２０より取得した該当お勧め撮影地点での参考構図画像を表示する（Ｓ４０９）。
【００４０】
図５（ｃ）は、ステップＳ４０９におけるコントローラー部１９０が表示部２３０へ出力する表示の一例である。撮影予定地点５１１、ランドマーク５１２、選択中のお勧め撮影地点５１４が表示された窓５０１に、参考構図画像が表示された窓５０２が重ねて表示されている。お勧め撮影地点の選択を行わなかった場合は、表示部２３０の表示はそのままの状態を継続する。その状態から、デジタルカメラ１００が撮影準備に入ると（Ｓ４１０）、コントローラー部１９０は地図が表示された窓５０１と参考構図画像が表示された窓５０２とを縮小し、スルー画像が表示された窓５０３と合わせて、表示部２３０に表示する（Ｓ４１１）。ここで撮影準備とは、シャッターの半押し動作を意味する。
【００４１】
図５（ｄ）は、ステップＳ４１１におけるコントローラー部１９０が表示部２３０へ出力する表示の一例である。撮影予定地点５１１、ランドマーク５１２、選択中のお勧め撮影地点５１４が表示された窓５０１と、参考構図画像が表示された窓５０２、スルー画像が表示された窓５０３を一度に確認することが可能となっている。これ以後は、表示部２３０の表示はステップＳ４１１における状態を保持しながら、通常撮影モードと同様の撮影動作を繰り返し行うことが可能である（Ｓ４１２、Ｓ４１３）。コントローラー部１９０は、撮影者が操作部２４０による操作でメニューより機能の終了を選択すると、撮影地点お勧め動作を終了し、通常の撮影モードに復帰する。
【００４２】
〔５．まとめ〕
以上のように、実施の形態１に係るデジタルカメラ１００は、現在位置を取得する現在位置取得手段３００と、ランドマークの位置情報およびランドマークの撮影地点に関する情報を保持する情報記憶手段３２０と、取得した現在位置近傍のランドマークを情報記憶手段から検索し、検索したランドマークに関連付けられた撮影地点に関する情報を抽出する抽出手段１９０と、撮影地点に関する情報を表示する表示手段２３０と、を備える。
【００４３】
このような構成とすることにより、事前に撮影者が撮影地点の情報を知らない場合においても、ランドマークと共にお勧め撮影地点の情報を表示して撮影者に案内することができるため、ランドマークの撮影を効果的に行うことができる。
【００４４】
また、上記実施の形態１に係るデジタルカメラ１００において、撮影予定時刻を設定する撮影予定時刻設定手段１９０を備え、抽出手段１９０は、前記撮影予定時刻に基づいて撮影地点に関する情報を抽出する。
【００４５】
このような構成とすることにより、あらかじめ撮影者が設定した撮影予定時刻に応じてお勧め撮影地点の情報を表示して撮影者に案内することができるため、ランドマークの撮影を効果的に行うことができる。
【００４６】
〔６．他の実施の形態〕
以上により、本発明の実施の形態１について説明した。しかし本発明は、これらには限定されない。そこで、本発明の他の実施の形態について、本欄にまとめて説明する。
【００４７】
実施の形態１では、ＧＰＳモジュール３００は、デジタルカメラ１００の現在位置を算出するための情報を出力し、コントローラー部１９０は、この信号に基づいてデジタルカメラ１００の現在位置を緯度および経度として算出するものとしたが、ＧＰＳモジュールが緯度および経度を算出して出力するようにしてもよい。
【００４８】
また、実施の形態１では、撮像手段として、ＣＣＤイメージセンサー１５０を例示したが、本発明はこれに限定されない。例えば、ＣＭＯＳイメージセンサーで構成してもよく、ＮＭＯＳイメージセンサーで構成してもよい。
【００４９】
また、実施の形態１では、画像処理部１７０とコントローラー部１９０とは、１つの半導体チップで構成してもよく、別々の半導体チップで構成してもよい。また、実施の形態１における画像処理部１７０およびコントローラー部１９０の処理内容の分担は一例であり、画像処理部１７０での処理内容をコントローラー部１９０が実行するようにしてもよいし、逆にコントローラー部１９０での処理内容を画像処理部１７０が実行するようにしてもよい。
【産業上の利用可能性】
【００５０】
本発明は、事前に撮影者が撮影地点の情報を知らない場合においても、ランドマークの撮影を効果的に行うことができるため、現在位置に関する情報を取得可能なデジタルスチルカメラ、デジタルビデオカメラ等の電子機器等にも適用可能である。
【符号の説明】
【００５１】
１００  デジタルカメラ
１１０  光学系
１２０  レンズ駆動部
１３０  絞り
１４０  シャッター
１５０  ＣＣＤイメージセンサー
１６０  Ａ／Ｄコンバータ
１７０  画像処理部
１８０  バッファ
１９０  コントローラー部
２００  記録部
２１０  記録媒体
２２０  内部メモリ
２３０  表示部
２４０  操作部
３００  ＧＰＳモジュール
３１０  時計部
３２０  データベース部
【図１】
2011188054.tif 000003
【図２】
2011188054.tif 000004
【図３】
2011188054.tif 000005
【図４】
2011188054.tif 000006
【図５】
2011188054.tif 000007